(57)【要約】【課題】レンズ鏡筒基板、シャッター基板及び弾性装置からなる攝像装置のレンズモジュールを提供する。【解決手段】レンズ鏡筒基板はレンズ鏡筒基板の表面に垂直に取り付けられた少なくとも１つのガイドピンを備える。シャッター基板は少なくとも１つの凹溝を備え、ガイドピンが凹溝内で作動できる。各弾性装置はガイドピンと凹溝に対応する。このようにして、レンズ鏡筒基板とシャッター基板が外力によって近付くと弾性装置を圧縮し、外力が失われると弾性装置によってレンズ鏡筒基板とシャッター基板を分離する。【選択図】図１
2011123471.tif 000002
【特許請求の範囲】
【請求項１】
レンズを光軸に沿って作動させるのに用いられ、第１中心孔を備えて前記光軸に照準を合わせ、表面に垂直に取り付けられた少なくとも１つのガイドピンを備えたレンズ鏡筒基板と、
第２中心孔を備えて前記光軸に照準を合わせ、少なくとも１つの凹溝を備え、前記ガイドピンが前記凹溝内で作動できるシャッター基板と、
それぞれ前記ガイドピンと前記凹溝に対応する少なくとも１つの弾性装置と、を含み、
前記レンズ鏡筒基板と前記シャッター基板が外力によって近づくと前記弾性装置を圧縮し、前記外力が失われると前記弾性装置によって前記レンズ鏡筒基板と前記シャッター基板を分離することを特徴とする撮像装置のレンズモジュール。
【請求項２】
前記撮像装置はカメラ又は撮影機であることを特徴とする請求項１に記載の撮像装置のレンズモジュール。
【請求項３】
前記レンズ鏡筒基板と前記シャッター基板のうちの少なくとも１つに取り付けられ、前記レンズ鏡筒基板と前記シャッター基板が分離する際の最大行程を限定するための少なくとも２つの位置限定装置をさらに含むことを特徴とする請求項１に記載の撮像装置のレンズモジュール。
【請求項４】
前記各位置限定装置は、前記レンズ鏡筒基板の辺縁に突設された係止フックと、前記シャッター基板の辺縁に突設されて前記係止フックに対応する突出部とを含むことを特徴とする請求項３に記載の撮像装置のレンズモジュール。
【請求項５】
前記係止フックは、距離を開けて前記突出部を収納するためのスペースを形成した２つの細長板(strip)と、前記２つの細長板の一端に取り付けられ、前記レンズ鏡筒基板と前記シャッター基板が分離して最大行程に達すると前記突出部を停止させるストッパー(stop)部とを含むことを特徴とする請求項４に記載の撮像装置のレンズモジュール。
【請求項６】
前記各位置限定装置は、前記レンズ鏡筒基板の辺縁に突設され、前記レンズ鏡筒基板と前記シャッター基板が分離して最大行程に達すると、前記鉤状部が前記シャッター基板を係止する鉤状部を含むことを特徴とする請求項３に記載の撮像装置のレンズモジュール。
【請求項７】
前記各位置限定装置は、前記レンズ鏡筒基板の辺縁に突設された鉤状部と、前記シャッター基板の辺縁に突設され前記鉤状部に対応する突出部とを含み、前記レンズ鏡筒基板と前記シャッター基板が分離して最大行程に達すると、前記鉤状部が前記突出部を係止することを特徴とする請求項３に記載の撮像装置のレンズモジュール。
【請求項８】
前記弾性装置は、貫通して前記ガイドピンの周囲を囲繞するスプリングであることを特徴とする請求項１に記載の撮像装置のレンズモジュール。
【請求項９】
前記凹溝の口径は前記ガイドピンの口径より若干大きく、前記スプリングの口径は前記凹溝の口径より若干大きいことを特徴とする請求項８に記載の撮像装置のレンズモジュール。
【請求項１０】
前記凹溝は前記シャッター基板を貫通することを特徴とする請求項１に記載の撮像装置のレンズモジュール。
【請求項１１】
前記撮像装置に固設された台座をさらに含み、前記レンズ鏡筒基板と前記シャッター基板が外力によって近づくと、前記シャッター基板が前記台座上で停止することを特徴とする請求項１に記載の撮像装置のレンズモジュール。
【発明の詳細な説明】
【技術分野】
【０００１】
本発明は、撮像装置に関し、より詳しくは、撮像装置のレンズモジュールに関する。
【背景技術】
【０００２】
デジタルカメラやデジタル撮影機のような撮像装置は、主にレンズモジュールと画像センサを結合し、画像光を集光させてこれを電子信号に変換し、後に続く保存、処理及び伝送を行うためのものである。
【０００３】
多くの電子装置と同様に軽薄短小がデジタルカメラや撮影機の製品の動向の一つとなっており、従って、レンズモジュールの薄型化は撮像装置の設計目標の一つとなっている。レンズモジュールの薄型化を達成するために、通常シャッター(shutter)はオンとオフとでは異なる位置にある。換言すると、シャッター移動の行程を長くすることによってレンズモジュールの薄型化を達成する。
【０００４】
シャッター移動の行程を長くして撮像装置の厚みを抑えると共に、簡易構造で組立てが容易で、しかも撮像装置の内部が汚染されないレンズモジュールを設計して、製造コストを抑制し、商品価格を引き下げ、歩留りを高める必要がさらにある。
【発明の概要】
【発明が解決しようとする課題】
【０００５】
本発明は、このような従来の問題点に鑑みてなされたものである。上記課題解決のため、本発明は、シャッターの移動距離を長くしてレンズモジュールの薄型化を達成し、撮像装置の厚みを抑えた撮像装置のレンズモジュールを提供することを主目的とする。
【課題を解決するための手段】
【０００６】
本発明によれば、レンズを光軸に沿って作動させるのに用いられ、第１中心孔を備えて前記光軸に照準を合わせ、表面に垂直に取り付けられた少なくとも１つのガイドピンを備えたレンズ鏡筒基板と、第２中心孔を備えて前記光軸に照準を合わせ、少なくとも１つの凹溝を備え、前記ガイドピンが前記凹溝内で作動できるシャッター基板と、それぞれ前記ガイドピンと前記凹溝に対応する少なくとも１つの弾性装置とを含み、前記レンズ鏡筒基板と前記シャッター基板が外力によって近づくと前記弾性装置を圧縮し、前記外力が失われると前記弾性装置によって前記レンズ鏡筒基板と前記シャッター基板を分離することを特徴とする撮像装置のレンズモジュールが提供される。
【図面の簡単な説明】
【０００７】
【図１】本発明に係る実施形態における撮像装置のレンズモジュールの分解斜視図である。
【図２Ａ】撮像装置が第１状態にあるとき、レンズ鏡筒基板がシャッター基板に近づき台座上に停止したことを示す簡略化した断面図である。
【図２Ｂ】撮像装置が第２状態にあるとき、レンズ鏡筒基板、シャッター基板及び台座が分離したことを示す簡略化した断面図である。
【図３Ａ】係止フックと突出部が対向して作動する位置を示した局部を簡略化した上面図である。
【図３Ｂ】係止フックと突出部が対向して作動する位置を示した局部を簡略化した上面図である。
【図４Ａ】鉤状部と突出部が対向して作動する位置を示した局部を簡略化した側面図である。
【図４Ｂ】鉤状部と突出部が対向して作動する位置を示した局部を簡略化した側面図である。
【図５Ａ】鉤状部とシャッター基板が対向して作動する位置を示した局部を簡略化した側面図である。
【図５Ｂ】鉤状部とシャッター基板が対向して作動する位置を示した局部を簡略化した側面図である。
【発明を実施するための形態】
【０００８】
以下、本発明を実施するための形態について、詳細に説明する。なお、本発明は、以下に説明する実施形態に限定されるものではない。本発明の実施形態に係る撮像装置のレンズモジュールは図１の分解斜視図に示される。実施形態の特徴を明らかにするため、本実施形態と関連のある構造のみ示し、その他の構造は省略する。本実施形態で例示した撮像装置はデジタルカメラであるが、本実施形態はデジタル撮影機のようなその他の撮像装置にも適用される。
【０００９】
本実施形態では、レンズモジュールは主にレンズ鏡筒基板１０、シャッター基板１２及び弾性装置１４からなる。デジタルカメラ内には一般に前鏡筒、中鏡筒及び後鏡筒といった複数個のレンズ鏡筒(lens barrel）を含む。図１で示されるレンズ鏡筒基板１０は中鏡筒の一部である。レンズ鏡筒基板１０はレンズ（図示せず）を光軸１６に沿って作動させる。本実施形態では、レンズ鏡筒基板１０は主に第１中心孔１０２、ガイドピン１０４及び係止フック１０６を備える。第１中心孔１０２は光軸１６に照準を合わせる。ガイドピン１０４はレンズ鏡筒基板１０の表面に垂直に取り付けられる。ガイドピン１０４の数量は少なくとも１つで、好ましい実施形態（図面参照）では２つ使用する。係止フック１０６はレンズ鏡筒基板１０の辺縁に突設されて、シャッター基板１２の突出部（又は突起台という）１２６と組み合せて、位置限定装置として使用することができるが、これは本明細書で後ほど詳述する。係止フック１０６の数量は少なくとも２つで、好ましい実施形態（図面参照）では３つ使用する。
【００１０】
シャッター基板１２はシャッター(shutter)の一部である。本実施形態では、シャッター基板１２は主に第２中心孔１２２、凹溝１２４及び突出部１２６を備える。第２中心孔１２２は光軸１６に照準を合わせる。凹溝１２４はシャッター基板１２を貫通してもしなくてもよい。凹溝１２４の位置はレンズ鏡筒基板１０のガイドピン１０４に対応して、ガイドピン１０４を凹溝１２４内で作動させる。従って、凹溝１２４の数量は通常ガイドピン１０４の数量と同様である。また、スプリングのような弾性装置１４の設置位置もガイドピン１０４と凹溝１２４に対応することから、弾性装置１４の数量も通常ガイドピン１０４の数量と同様である。突出部１２６はシャッター基板１２の辺縁に突設されて、レンズ鏡筒基板１０の係止フック１０６に対応することから、突出部１２６の数量は通常係止フック１０６の数量と同様である。
【００１１】
前記レンズモジュールによると、撮像装置が第１状態（例：デジタルカメラがオフの状態）に進入すると、レンズ鏡筒基板１０とシャッター基板１２は外力に作用され、ガイドピン１０４を凹溝１２４内で作動させ、弾性装置１４を圧縮することによって、レンズ鏡筒基板１０をシャッター基板１２に近づける。図２Ａの簡略化した断面図は、第１状態にあるとき、レンズ鏡筒基板１０が弾性装置１４を圧縮してシャッター基板１２に近づけ、最終的にシャッター基板１２を撮像装置に固設された台座１８上に停止させることを示している。スプリングのような弾性装置１４は貫通してガイドピン１０４の周囲を囲繞し、その一端はレンズ鏡筒基板１０の表面に当接し、他端はシャッター基板１２の表面に当接する。凹溝１２４の口径はガイドピン１０４の口径より若干大きく、弾性装置１４（例：スプリング）の口径は凹溝１２４の口径より若干大きい。
【００１２】
撮像装置が第２状態（例：デジタルカメラがオンの状態）に進入すると、外力が失われて、弾性装置１４によってレンズ鏡筒基板１０とシャッター基板１２を分離する。図２Ｂの簡略化した断面図は、第２状態にあるとき、弾性装置１４（例：スプリング）がレンズ鏡筒基板１０とシャッター基板１２を分離することを示している。続いて、レンズ鏡筒基板１０が駆動されてレンズを光軸１６に沿って作動させて撮像を行い、最終的にレンズ鏡筒基板１０とシャッター基板１２を台座１８から分離する。
【００１３】
本実施形態の別の特徴によると、レンズ鏡筒基板１０の係止フック１０６とシャッター基板１２の突出部１２６は位置限定機能を提供することができ、レンズ鏡筒基板１０とシャッター基板１２が分離する際の最大行程を限定する。本実施形態では、各係止フック１０６は２つの細長板(strip)１０６０とストッパー(stop)部１０６２で構成される。２つの細長板は一定の距離を開けて突出部１２６を収納するためのスペースを形成し、図３Ａで示された局部を簡略化した上面図のように、ストッパー部１０６２は２つの細長板１０６０の一端に取り付けられる。レンズ鏡筒基板１０とシャッター基板１２が分離して最大行程に達すると、図３Ｂで示された局部を簡略化した上面図のように、突出部１２６はストッパー部１０６２で停止する。
【００１４】
本実施形態の位置限定装置は同等な機能での変更が可能である。別の実施形態では、図４Ａに示された局部を簡略化した側面図のように、レンズ鏡筒基板１０の辺縁に鉤状部１０６Ａを凸設し、その位置は突出部１２６に対応する。レンズ鏡筒基板１０とシャッター基板１２が分離して最大行程に達すると、図４Ｂに示された局部を簡略化した側面図のように、鉤状部１０６Ａは突出部１２６を係止する。他の実施形態では、図５Ａに示された局部を簡略化した側面図のように、鉤状部１０６Ａを依然として使用するが、突出部１２６を省略する。レンズ鏡筒基板１０とシャッター基板１２が分離して最大行程に達すると、図５Ｂに示された局部を簡略化した側面図のように、鉤状部１０６Ａはシャッター基板１２を係止する。
【００１５】
上述の実施例は本発明の技術思想及び特徴を説明するためのものにすぎず、当該技術分野を熟知する者に本発明の内容を理解させると共にこれをもって実施させることを目的とし、本発明の特許範囲を限定するものではない。従って、本発明の精神を逸脱せずに行う各種の同様の効果をもつ改良又は変更は、後述の請求項に含まれるものとする。
【符号の説明】
【００１６】
１０      レンズ鏡筒基板
１０２    第１中心孔
１０４    ガイドピン
１０６    係止フック
１０６Ａ  鉤状部
１０６０  細長板
１０６２  ストッパー部
１２      シャッター基板
１２２    第２中心孔
１２４    凹溝
１２６    突出部
１４      弾性装置
１６      光軸
１８      台座
【図１】
2011123471.tif 000003
【図２Ａ】
2011123471.tif 000004
【図２Ｂ】
2011123471.tif 000005
【図３Ａ】
2011123471.tif 000006
【図３Ｂ】
2011123471.tif 000007
【図４Ａ】
2011123471.tif 000008
【図４Ｂ】
2011123471.tif 000009
【図５Ａ】
2011123471.tif 000010
【図５Ｂ】
2011123471.tif 000011